(57)【特許請求の範囲】
【請求項１】
直列に接続された複数のバッテリ（６）より構成されて，一端部に正極（７）を，また他端部に負極（８）をそれぞれ有する複数の棒状バッテリモジュール（９）を，それらの軸線（Ａ）が互に平行し，且つそれらの軸線（Ａ）と交差する仮想平面（Ｂ）にて各軸線（Ａ）とその仮想平面（Ｂ）との交点（Ｃ）が上，下方向および左，右方向に並ぶように配列すると共に，バッテリモジュール軸線方向（Ｄ）両端部側にそれぞれ複数の正極（７）と複数の負極（８）とよりなる正，負極群を存在させたバッテリ集合体（５）を備え，各バッテリモジュール（９）の相隣る両バッテリ（６）の相対向する両端部間に，それら両端部と嵌合する環状凹部（３０，３１）を持つ絶縁リング（２７）が挟着されると共にその絶縁リング（２７）の内周面で囲まれる領域に前記正極（７）と負極（８）との接続部が在り，各バッテリモジュール（９）は，前記仮想平面（Ｂ）と平行で，且つベースプレート（１０）上に立てられた複数の板状部材（１１）に，それらを貫通するように保持され，各板状部材（１１）は，門型をなすと共に上部連結部（１２）をその板状部材（１１）の上端面に当てて，両脚部（１３）を前記ベースプレート（１０）に固定されたフレーム部材（Ｆ）により直立状態に保たれ，各板状部材（１１）は，二つ割りの両半体（５７，６０；５７，６１；６０，６６；６１，６６）よりなる複数のグロメット（６９）の集合体であって，
両半体（５７，６０；５７，６１；６０，６６；６１，６６）はそれらの分割面（５８，６２，６４，６７）に開口して前記絶縁リング（２７）外周面の半周部分に嵌まる半環状凹部（５９，６３，６５，６８）を有し，前記バッテリ集合体（５）の各正，負極群と対向する各バスバープレート（３９，４０）に，各正，負極（７，８）と嵌合する複数の貫通孔（４１，４２）と，各貫通孔（４１，４２）と嵌合した各正，負極（７，８）と接続される複数のバスバー（１６，４３）とが設けられ，各バスバー（１６，４３）の前記正，負極（７，８）との接続部（４５，４６  ，４８）が前記正，負極（７，８）に対してそれぞれ進退可能であることを特徴とするバッテリ式電源装置。
【請求項２】
各グロメット（６９）における前記両半体（５７，６０；５７，６１；６０，６６；６１，６６）の前記半環状凹部（５９，６３，６５，６８）内周面および両半環状凹部（５９，６３，６５，６８）内周面に嵌まる各絶縁リング（２７）の外周面に，相互に嵌合する凹，凸部（７７，７８）が設けられている，請求項１記載のバッテリ式電源装置。
【請求項３】
各グロメット（６９）における前記両半体（５７，６０；５７，６１；６０，６６；６１，６６）の前記半環状凹部（５９，６３，６５，６８）内周面および両半環状凹部（５９，６３，６５，６８）内周面に嵌まる各絶縁リング（２７）の外周面に，相互に嵌合する凹，凸部（７７，７８）が設けられており，相隣る両バッテリモジュール（９）の一方における前記凹，凸部（７７，７８）の嵌合位置（Ｘ1 ）と，他方における前記凹，凸部（７７，７８）の嵌合位置（Ｘ2 ）とがバッテリモジュール軸線方向（Ｄ）にて食違っている，請求項１記載のバッテリ式電源装置。
【発明の詳細な説明】
【０００１】
【発明の属する技術分野】
本発明はバッテリ式電源装置，特に，直列に接続された複数のバッテリを有する複数の棒状バッテリモジュールを，それらの軸線が互に平行し，且つそれらの軸線と交差する仮想平面にて各軸線とその仮想平面との交点が上，下方向および左，右方向に並ぶように配列したバッテリ集合体を備えた電源装置に関する。
【０００２】
【従来の技術】
従来，この種の電源装置としては，合成樹脂製ボックスの両端壁外面にそれぞれ複数のバスバーを埋設した合成樹脂製エンドプレートをビス止めし，ボックスを貫通する各バッテリモジュールの両端に在る正極および負極と各バスバーとを，そのバスバーを貫通して正，負極にねじ込まれたボルトによって接続し，また各バッテリモジュールの軸線方向中間部を複数の防振ゴムシートによってフローティング支持したものが知られている。この場合，各バッテリモジュールの相隣る両バッテリ間には，正，負極間の短絡を防止する絶縁リングが設けられている（例えば，特許文献１参照）。
【０００３】
【特許文献１】
特開平１１−１１１３４９号公報
【０００４】
【発明が解決しようとする課題】
しかしながら従来装置においては各バッテリモジュールの実質的な支持部が，その両端であることから振動による各バッテリモジュールの振幅が大となって，相隣る両バッテリの正，負極間の接続部が破断されるおそれがあった。またバスバーがエンドプレート内に埋設されていて不動であることから，バッテリモジュールにその軸線方向の寸法にばらつきが生じた場合，それに対応することが困難であり，その上，合成樹脂製ボックスが比較的大型で，またかなりの寸法精度を要求されることから，成形用金型コストが非常に高く，電源装置のコスト上昇を招くと共に重量増の原因となっていた。
【０００５】
【課題を解決するための手段】
本発明は，各バッテリモジュールにおける相隣る両バッテリの正，負極間の接続部の破断を回避し，また各バッテリモジュールに，その軸線方向の寸法にばらつきが生じても，その正，負極とバスバーとの接続を容易に行い，その上コストが安く，軽量な前記バッテリ式電源装置を提供することを目的とする。
【０００６】
前記目的を達成するため本発明によれば，直列に接続された複数のバッテリより構成されて，一端部に正極を，また他端部に負極をそれぞれ有する複数の棒状バッテリモジュールを，それらの軸線が互に平行し，且つそれらの軸線と交差する仮想平面にて各軸線とその仮想平面との交点が上，下方向および左，右方向に並ぶように配列すると共に，バッテリモジュール軸線方向両端部側にそれぞれ複数の正極と複数の負極とよりなる正，負極群を存在させたバッテリ集合体を備え，各バッテリモジュールの相隣る両バッテリの相対向する両端部間に，それら両端部と嵌合する環状凹部を持つ絶縁リングが挟着されると共にその絶縁リングの内周面で囲まれる領域に前記正極と負極との接続部が在り，各バッテリモジュールは，前記仮想平面と平行で，且つベースプレート上に立てられた複数の板状部材に，それらを貫通するように保持され，各板状部材は，門型をなすと共に上部連結部をその板状部材の上端面に当てて，両脚部を前記ベースプレートに固定されたフレーム部材により直立状態に保たれ，各板状部材は，二つ割りの両半体よりなる複数のグロメットの集合体であって，両半体はそれらの分割面に開口して前記絶縁リング外周面の半周部分に嵌まる半環状凹部を有し，前記バッテリ集合体の各正，負極群と対向する各バスバープレートに，各正，負極と嵌合する複数の貫通孔と，各貫通孔と嵌合した各正，負極と接続される複数のバスバーとが設けられ，各バスバーの前記正，負極との接続部が前記正，負極に対してそれぞれ進退可能であるバッテリ式電源装置が提供される。
【０００７】
前記のように構成すると，各バッテリモジュールがその軸線方向複数箇所において，絶縁リングを介して板状部材およびフレーム部材によってベースプレート上に保持され，しかも相隣る両バッテリの正，負極間の接続部は絶縁リングによって補強されているので，振動による正，負極間の接続部の破断を確実に回避することができる。
【０００８】
また各バッテリモジュールに，その軸線方向の寸法にばらつきが生じても，その正，負極に対し各バスバーの正，負極側接続部を進退させて，その正，負極とバスバーとを容易に接続することができる。その上，バッテリ集合体の支持のために，かなりの寸法精度を要求される比較的大型の合成樹脂製ボックスを使用しないので，バッテリ式電源装置のコストを低減し，またその軽量化を図ることができる。
【０００９】
【発明の実施の形態】
図１，２において，バッテリ式電源装置１は薄肉の合成樹脂製ボックス２を備え，そのボックス２は，一端面に冷却風導入口３を有し，また他端部内に吸引ファン４を有する。そのボックス２内において，冷却風導入口３と吸引ファン４との間，つまりボックス２内中間部にバッテリ集合体５が収容されている。
【００１０】
そのバッテリ集合体５は，直列に接続された複数，実施例では６個のバッテリ６より構成されて，一端部に正極７を，また他端部に負極８をそれぞれ有する複数，実施例では２０本の棒状バッテリモジュール９よりなる。それらバッテリモジュール９は，それらの軸線Ａが互に平行し，且つそれらの軸線Ａと交差する仮想平面Ｂにて各軸線Ａとその仮想平面Ｂとの交点Ｃが上，下方向に４つおよび左，右方向に５つ並ぶように配列されており，バッテリモジュール軸線方向Ｄ両端部側にそれぞれ複数，つまり１０個の正極７と，複数，つまり１０個の負極８とよりなる正，負極群が存在する。各バッテリモジュール９は，前記仮想平面Ｂと平行で，且つ鋼製ベースプレート１０上に立てられた複数，実施例では２つの板状部材１１に，それらを貫通するように保持されている。各板状部材１１は，門型をなすと共に上部連結部１２をその板状部材１１の上端面に当てて，両脚部１３を前記ベースプレート１０にボルト１４およびナット１５（図８参照）によって固定された鋼製フレーム部材Ｆにより直立状態に保たれている。最上位およびその下の両バッテリモジュール９ならびに最下位およびその上の両バッテリモジュール９の軸線方向中間部はそれぞれ合成樹脂製クリップＣL によって連結されている。
【００１１】
例えば，図１において，冷却風導入口３側からバッテリ集合体５を見たとき，手前側最上位の棒状バッテリモジュール９［ａ］は，図２，３に示すように，右端に負極８を，また左端に正極７をそれぞれ有する。その負極８は，それよりも吸引ファン４側に在って隣接するバッテリモジュール９［ｂ］の正極７と第１バスバー１６を介して接続される。一方，正極７は，その下側に在るバッテリモジュール９［ｃ］の負極８と第１バスバー１６を介して接続される。
【００１２】
１つのバッテリ（セコンダリ・バッテリ）６は，負極側の鋼製有底筒体１７と，その開口端に存する環状ビード部１８内周面に絶縁シールリング１９を介して取付けられた正極側の鋼製蓋板２０とを有する。実施例ではバッテリ６の内部構造は省略されている。相隣る一方のバッテリ６の有底筒体１７と他方のバッテリ６の蓋板２０間に鋼製接続リング２１が溶接されている。接続リング２１は，有底筒体１７外周面に嵌合し溶接された大径短筒部２２と，その一端の周縁部分に連設され，且つ有底筒体１７の底壁外面に密着する内向きの環状大径突出部２３と，その環状大径突出部２３の内周縁部分に連設され，且つ大径短筒部２２とは逆方向に突出する小径短筒部２４と，その小径短筒部２４の周縁部分に連設され，且つ蓋板２０の円形突出部２５を開口部分に挿通させてその円形突出部２５周りに溶接された内向きの環状小径突出部２６とを有する。
【００１３】
また相隣る両バッテリ６の相対向する両端部間に合成樹脂製絶縁リング２７が挟着される。その絶縁リング２７は，一方のバッテリ６の端部を構成する接続リング２１の大径短筒部２２外周面のほぼ半部に嵌合する短筒部２８と，その一端の周縁部分に連設され，且つ接続リング２１の，内向きの環状大径突出部２３外面に密着する，内向きの環状突出部２９とを有する。これら短筒部２８および内向きの環状突出部２９とにより，一方のバッテリ６の端部と嵌合する環状凹部３０が形成される。また内向きの環状突出部２９は，他方のバッテリ６の環状ビード部１８およびそれに嵌着された絶縁シールリング１９，つまり他方のバッテリ６の端部と嵌合する環状凹部３１を有する。内向きの環状突出部２９の開口部分は接続リング２１の小径短筒部２４外周面に密着され，これにより蓋板２０と接続リング２１との接続部，つまり正極と負極との接続部が絶縁リング２７の内周面で囲まれる領域に存する。この絶縁リング２７は，両バッテリ６の正，負極間の短絡防止機能と，それらの接続部に対する補強機能とを有する。
【００１４】
図４にも示すように，バッテリ６，接続リング２１および絶縁リング２７は１つのユニットＵを構成し，バッテリモジュール９の製作に当っては，一方のユニットＵにおける接続リング２１の大径短筒部２２に他方のユニットＵにおける有底筒体１７の底部側を嵌着して，その大径短筒部２２および有底筒体１７の周壁間を溶接し，これを必要回数繰返し，また一端に存するユニットＵの有底筒体１７底部に接続リング２１の大径短筒部２２を嵌着して溶接する。さらに他端に存する接続リング２１の大径短筒部２２に，断面凸形をなす鋼製正極７の大径部３２が嵌着され，その大径部３２と大径短筒部２２とが溶接される。大径部３２から突出する六角ナット形部３３はその端面に開口するねじ孔３４を有する。また一端に存する接続リング２１の小径短筒部２４に，断面ほぼ凸形をなす鋼製負極８の大径部３５端面に存する凹部３６が嵌合され，その環状小径突出部２６と大径部３５とが溶接される。大径部３５から突出する四角ナット形部３７はその端面に開口するねじ孔３８を有する。
【００１５】
図３，５，６に示すように，バッテリ集合体５における一方の正，負極群側に第１バスバープレート３９が配置され，また他方の正，負極群側に第２バスバープレート４０が配置される。第１，第２バスバープレート３９，４０は正，負極７，８の六角ナット形部３３および四角ナット形部３７と嵌合する複数の貫通孔としての六角孔４１および四角孔４２を有する。図５に示す第１バスバープレート３９において，正，負極群と対向する面と反対側の面に形状を異にする複数の第１，第２バスバー１６，４３が取付けられている。各第１バスバー１６の，ボルト孔４４を有する一方の環状接続部４５が六角孔４１に，また同様にボルト孔４４を有する他方の環状接続部４５が四角孔４２にそれぞれ臨んでいる。さらに各第２バスバー４３の，ボルト孔４７を有する１つの環状接続部４８が六角孔４１および四角孔４２の一方に臨んでいる。図６に示す第２バスバープレート４０において，正，負極群と対向する面と反対側の面に前記と同種形状の複数の第１バスバー１６が取付けられており，各第１バスバー１６の，ボルト孔４４を有する一方の環状接続部４５が六角孔４１に，また同様にボルト孔４４を有する他方の環状接続部４５が四角孔４２にそれぞれ臨んでいる。
【００１６】
各第１バスバー１６の両環状接続部４５のボルト孔４４にそれぞれ絶縁性，実施例ではガラス繊維強化合成樹脂製ボルト４９が挿通されて，正，負極７，８のねじ孔３４，３８にねじ込まれ，これにより複数組の正極７および負極８が複数の第１バスバー１６を介して電気的に接続される。
【００１７】
また各第２バスバー４３の環状接続部４８のボルト孔４７に前記同様のボルト４９が挿通されて正極７または負極８のねじ孔３４，３８にねじ込まれ，これにより複数の正極７および負極８と複数の第２バスバー４３とが電気的に接続される。
【００１８】
前記のように，第１，第２バスバープレート３９，４０に複数の正極７の六角ナット形部３３と嵌合する複数の六角孔４１および複数の負極８の四角ナット形部３７と嵌合する複数の四角孔４２を形成すると，バッテリ集合体５におけるバッテリモジュール９の誤組みを容易に見付けることができる。
【００１９】
図７に明示するように，第１バスバー１６は鋼板より構成され，第１，第２バスバープレート３９，４０に，一端部をリベット５０によって接合された被取付部５１と，その被取付部５１の他端にＵ字形折曲げ部５２を介し連設されて被取付部５１と対向する二股部５３と，その二股部５３の両端にそれぞれ連設されて被取付部５１側に折曲がる２つの繋ぎ部５４とを有し，両繋ぎ部５４に両環状接続部４５がそれぞれ被取付部５１と同一平面上に位置するように連設されている。また繋ぎ部５４および環状接続部４５の各連設部分と，第１，第２バスバープレート３９，４０との干渉を避けるため，両バスバープレート３９，４０において，各連設部分と対向する部分には六角孔４１および四角孔４２に連なる切欠き５５が形成されている。これにより各環状接続部４５は，撓み性を有するＵ字形折曲げ部５２を介して正，負極７，８，つまり六角ナット形部３３，四角ナット形部３７に対し進退可能であり，したがって，バッテリモジュール９の軸線方向長さに長短が生じてもそれに容易に対応して，両環状接続部４５と，正，負極７，８とを確実に接続することができる。第２バスバー４３は鋼板より構成され，第１バスバープレート３９に一端部をリベット５０によって接合された被取付部５６を有し，その他端に環状接続部４８が連設されている。この場合にも環状接続部４８は，被取付部５６の撓み性により正，負極７，８に対して進退可能である。
【００２０】
一方の板状部材１１は，各バッテリモジュール９の一端部側において，最も端に在るバッテリ６と，その隣りのバッテリ６との接続部に位置し，また他方の板状部材１１は，各バッテリモジュール９の他端部側において，最も端に在るバッテリ６と，その隣りのバッテリ６との接続部に位置する。
【００２１】
各板状部材１１は同一の構造を有し，図８に示すように二つ割りの両半体よりなる複数の合成樹脂製グロメットの集合体である。実施例では，ベースプレート１０上に長い第１半体５７が配置され，その第１半体５７は，それの上向きの分割面５８に開口して最下段の５本のバッテリモジュール９の絶縁リング２７外周面に嵌まる５つの半環状凹部５９を有する。第１半体５７上に１つの第２半体６０と３つの第３半体６１とが重ねられており，その第２半体６０は，それの下向きの分割面６２に開口して最下段の２本のバッテリモジュール９の絶縁リング２７外周面に嵌まる２つの半環状凹部６３を有し，また各第３半体６１は，それの下向きの分割面６４に開口して最下段の各１本のバッテリモジュール９の絶縁リング２７外周面に嵌まる１つの半環状凹部６５を有する。このように第１半体５７と，それと二つ割り関係にある第２，各第３半体６０，６１とによって最下段の５本のバッテリモジュール９が保持される。
【００２２】
また第２半体６０は，それの上向きの分割面６２に開口して下から２段目の２本のバッテリモジュール９の絶縁リング２７外周面に嵌まる２つの半環状凹部６３を有し，同様に各第３半体６１は，それの上向きの分割面６４に開口して下から２段目の各１本のバッテリモジュール９の絶縁リング２７外周面に嵌まる１つの半環状凹部６５を有する。第２，各第３半体６０，６１上に長い第４半体６６が重ねられており，その第４半体６６は，それの下向きの分割面６７に開口して下から２段目の５本のバッテリモジュール９の絶縁リング２７外周面に嵌まる５つの半環状凹部６８を有する。このように第２，各第３半体６０，６１と，それらと二つ割り関係にある第４半体６６とによって下から２段目の５本のバッテリモジュール９が保持される。
【００２３】
同様に，第４半体６６の上に第１半体５７が，またその第１半体５７上に１つの第２半体６０と３つの第３半体６１が，さらにそれら第２，各第３半体６０，６１上に第４半体６６がそれぞれ重ねられており，これにより第１半体５７と，それと二つ割り関係にある第２，各第３半体６０，６１とによって下から３段目の５本のバッテリモジュール９が保持され，また第２，各第３半体６０，６１と，それらと二つ割り関係にある第４半体６６とによって最上段の５本のバッテリモジュール９が保持される。
【００２４】
実施例では，第１，第４半体５７，６６を共通に使用して，第１，第２半体５７，６０；第１，第３半体５７，６１；第４，第２半体６６，６０；第４，第３半体６６，６１はそれぞれ１つのグロメット６９を構成する。なお，グロメットとしては，分割面に１つの半環状凹部を有する２つの半体よりなるもの等を用いることもできる。
【００２５】
図９にも示すように，第１半体５７の下面にバッテリモジュール９の軸線と交差する方向に延びる複数の小凹部７０が形成され，それら小凹部７０と対応する複数の突起７１が第４半体６６の上面に形成されている。上，下方向中間位置において，第１，第４半体５７，６６の各小凹部７０と各突起７１との嵌合によって上側の複数のグロメット６９と下側の複数のグロメット６９とが相互に位置決めされる。
【００２６】
図１０にも示すように，第１半体５７の上向きの分割面５８全体にバッテリモジュール９の軸線と交差する方向に延びる小凹部７２が形成され，その小凹部７２と対応する突起７３が第２，各第３半体６０，６１の下向きの分割面６２，６４全体にそれぞれ形成されている。また図１１にも示すように，第４半体６６の下向きの分割面６７全体にバッテリモジュール９の軸線と交差する方向に延びる小凹部７４が形成され，その小凹部７４と対応する突起７３が第２，各第３半体６０，６１の上向きの分割面６２，６４全体にそれぞれ形成されている。これら小凹部７２および各突起７３ならびに小凹部７４および各突起７３の凹，凸嵌合によって，第１および第２，各第３半体５７，６０，６１間ならびに第２，各第３半体６０，６１および第４半体６６間のバッテリモジュール９軸線方向の位置決めがなされる。
【００２７】
最上位にある第４半体６６の上面とフレーム部材Ｆの上部連結部１２との間に複数の板ばね７５が配置され，それら板ばね７５の弾発力によって複数のグロメット６９，したがって板状部材１１がベースプレート１０に圧着される。図１２に示すように，フレーム部材Ｆは，門形の内側に溝７６が位置するように，溝形断面を有し，上部連結部１２においてはその溝７６内に各板ばね７５が収められて，その外れ止めがなされている。
【００２８】
図１３に示すように各グロメット６９を形成する両半体，つまり第１，第２半体５７，６０等の両半環状凹部５９，６３内周面およびそれら半環状凹部５９，６３内周面に嵌まる各絶縁リング２７外周面に，相互に嵌合する凹，凸部，実施例では絶縁リング２７側に環状凸部７７が，また第１，第２半体５７，６０等の半環状凹部５９，６３側に半環状凹部７８がそれぞれ形成されている。これら環状凸部７７と両半環状凹部７８との嵌合によってバッテリモジュール９とグロメット６９との位置決めを容易に行うことができる。なお，環状凸部７７を有する絶縁リング２７を，グロメット６９に対応しない位置にある絶縁リングとして使用してもよい。
【００２９】
図１４〜１６に示すように各グロメット６９を形成する両半体，つまり第２，第４半体６０，６６等の両半環状凹部６３，６８内周面およびそれら半環状凹部６３，６８内周面に嵌まる各絶縁リング２７外周面に，相互に嵌合する凹，凸部，実施例では絶縁リング２７側に環状凸部７７が，また第２，第４半体６０，６６等の半環状凹部６３，６８側に半環状凹部７８がそれぞれ形成されている。この場合，相隣る両バッテリモジュール９の一方における凹，凸部７７，７８の嵌合位置Ｘ1 と，他方における前記凹凸部７７，７８の嵌合位置Ｘ2 とがバッテリモジュール軸線方向Ｄにて距離ｄだけ食違っている。
【００３０】
このように構成すると，バッテリモジュール９とグロメット６９との位置決めを容易に行うことができる。また，図１４において，例えば左側のバッテリモジュール９を右側に配置すると，そのバッテリモジュール９の正極７および負極８の位置が第１，第２バスバープレート３９，４０に対して狂ってくるので，両嵌合位置Ｘ1 ，Ｘ2 の食違い構造はバッテリモジュール９の誤組防止効果をもたらす。図１等において，８０は各バスバープレート３９，４０を覆う端子板プレートである。
【００３１】
【発明の効果】
請求項１記載の発明によれば，前記のように構成することによって，各バッテリモジュールにおける相隣る両バッテリの正，負極間の接続部の破断を回避し，また各バッテリモジュールに，その軸線方向の寸法にばらつきが生じても，その正，負極とバスバーとの接続を容易に行い，その上コストが安く，軽量なバッテリ式電源装置を提供することができる。
【００３２】
請求項２記載の発明によれば，前記効果に加え，各グロメットと各バッテリモジュールとの位置決めを容易に行うことが可能なバッテリ式電源装置を提供することができる。
【００３３】
請求項３記載の発明によれば，前記効果に加えて，バッテリモジュールの誤組防止効果を得ることができる。
【図面の簡単な説明】
【図１】バッテリ式電源装置の第１実施例の斜視図である。
【図２】バッテリモジュールの斜視図である。
【図３】図１，図２の３−３線断面図である。
【図４】バッテリモジュールの分解斜視図である。
【図５】第１バスバープレートの斜視図である。
【図６】第２バスバープレートの斜視図である。
【図７】第１バスバーの斜視図である。
【図８】板状部材と，フレーム部材およびベースプレートとの関係を示す要部破断側面図である。
【図９】図８の９−９線断面図である。
【図１０】図８の１０−１０線断面図である。
【図１１】図８の１１−１１線断面図である。
【図１２】図８の１２−１２線断面図である。
【図１３】バッテリ式電源装置の第２実施例におけるグロメットとバッテリモジュールの絶縁リングとの関係を示す斜視図である。
【図１４】バッテリ式電源装置の第３実施例におけるグロメットとバッテリモジュールの絶縁リングとの関係を示すもので，図８の１４−１４矢視図に相当する。
【図１５】第２半体の平面図で，図８の１４−１４矢視図に相当する。
【図１６】第４半体の断面図で，図８の１６−１６線断面図に相当する。
【符号の説明】
１………………バッテリ式電源装置
５………………バッテリ集合体
６………………バッテリ
７………………正極
８………………負極
９………………バッテリモジュール
１０……………ベースプレート
１１……………板状部材
１２……………上部連結部
１３……………脚部
１６……………第１バスバー
２７……………絶縁リング
３０……………環状凹部
３１……………環状凹部
３９……………第１バスバープレート
４０……………第２バスバープレート
４１……………六角孔（貫通孔）
４２……………四角孔（貫通孔）
４３……………第２バスバー
４５……………環状接続部
４８……………環状接続部
５７……………第１半体
６０……………第２半体
６１……………第３半体
６６……………第４半体
６９……………グロメット
７７……………環状凸部
７８……………環状凹部
Ａ………………軸線
Ｂ………………仮想平面
Ｃ………………交点
Ｄ………………バッテリモジュール軸線方向
Ｆ………………フレーム部材
ｄ………………距離
【図１】
0003828870.tif 000002
【図２】
0003828870.tif 000003
【図３】
0003828870.tif 000004
【図４】
0003828870.tif 000005
【図５】
0003828870.tif 000006
【図６】
0003828870.tif 000007
【図７】
0003828870.tif 000008
【図８】
0003828870.tif 000009
【図９】
0003828870.tif 000010
【図１０】
0003828870.tif 000011
【図１１】
0003828870.tif 000012
【図１２】
0003828870.tif 000013
【図１３】
0003828870.tif 000014
【図１４】
0003828870.tif 000015
【図１５】
0003828870.tif 000016
【図１６】
0003828870.tif 000017